(57)【要約】  車両診断通信システムのための装置および方法が提供される。コンポーネントシステムパッケージは、ＯＢＤ−ＩＩデータの監視および対話性を提示するように構成される。コンポーネントシステムパッケージは、モバイルデバイス上で動作し、ワイヤレス接続によって車両のＯＢＤ−ＩＩに接続されたワイヤレススキャンツールと通信するソフトウェアアプリケーションである。ダッシュボードシステムは、デジタル計器、アナログ計器、インディケータライトなどを含む仮想ダッシュボードを表示する。運転者パフォーマンスシステムは、エンドユーザの運転スキルを改善することを助けるために、キャプチャされたビデオと車両の動作中に記録されたＯＢＤ−ＩＩデータとを組み合わせる。メンテナンス追跡および通知システムは、車両が適切に点検され、最適に動作していることを保証するために、コンポーネントの故障が診断システムによって検出されたときに、通知を表示する。ルーティングシステムは、通知に応答して、新しい部品および供給品をエンドユーザが取得できるようにする。
2021529128.tif 000002
【特許請求の範囲】
【請求項１】
車両診断通信システムであって、
少なくとも１つのプロセッサを具備し、車両のＯＢＤ−ＩＩコネクタに接続可能なワイヤレススキャンツールへの接続性を有するアプリケーションサーバシステムと、
少なくともダッシュボードシステム、運転者パフォーマンスシステム、診断システム、メンテナンス追跡および通知システム、ならびにルーティングシステムによって、ＯＢＤ−ＩＩデータの監視および対話性を提示するように構成されたコンポーネントシステムパッケージと、
コンポーネントシステムパッケージへのアクセスを提供するように構成されたインターフェースと
を備える、車両診断通信システム。
【請求項２】
ダッシュボードシステムが、デジタル計器、アナログ計器、インディケータライトなどを含む１つ以上の仮想ダッシュボードを表示するように構成される、請求項１に記載のシステム。
【請求項３】
運転者パフォーマンスシステムが、エンドユーザの運転スキルを改善することを助けるように構成される、請求項１に記載のシステム。
【請求項４】
運転者パフォーマンスシステムが、車両の動作中にビデオを記録するように構成される、請求項３に記載のシステム。
【請求項５】
運転者パフォーマンスシステムが、キャプチャされたビデオと車両の動作中に記録されたＯＢＤ−ＩＩデータとを組み合わせるように構成される、請求項４に記載のシステム。
【請求項６】
診断システム、メンテナンス追跡および通知システム、ならびにルーティングシステムが、車両が適切に点検され、最適に動作していることを保証するために協調して動作するように構成される、請求項１に記載のシステム。
【請求項７】
診断システムが、ワイヤレススキャンツールによって取得されたＯＢＤ−ＩＩデータを読み込み、車両を含む何らかの識別された故障しているコンポーネントを示すように構成される、請求項６に記載のシステム。
【請求項８】
メンテナンス追跡および通知システムが、車両と関連付けられた予定のメンテナンス間隔でスキャンツールから受信したＯＢＤ−ＩＩデータを相互参照するように構成される、請求項６に記載のシステム。
【請求項９】
メンテナンス追跡および通知システムが、車両が点検の期限を過ぎているか、またはメンテナンスが必要であることをＯＢＤ−ＩＩデータが示したときに、通知を表示するように構成される、請求項８に記載のシステム。
【請求項１０】
メンテナンス追跡および通知システムが、コンポーネントの故障が診断システムによって検出されたときに、通知を表示するように構成される、請求項８に記載のシステム。
【請求項１１】
ルーティングシステムが、メンテナンス追跡および通知システムによって発行された通知に応答して、新しい部品および供給品をエンドユーザが素早くかつ簡単に取得できるように構成される、請求項１０に記載のシステム。
【請求項１２】
メンテナンス追跡および通知システムが、検出された車両の故障に関する、今買うボタンを表示するように構成される、請求項１１に記載のシステム。
【請求項１３】
ルーティングシステムが、今買うボタンをエンドユーザが選択したときに、１つ以上の部品供給者に関連したウェブサイトにエンドユーザを向けるように構成され、１つ以上の部品供給者が、検出された故障に関する新しい部品および供給品を提供する、請求項１２に記載のシステム。
【請求項１４】
コンポーネントシステムパッケージが、モバイルデバイス上で動作し、ワイヤレス接続によってワイヤレススキャンツールと通信するように構成されたソフトウェアアプリケーションを備える、請求項１に記載のシステム。
【請求項１５】
ワイヤレス接続が、Ｂｌｕｅｔｏｏｔｈ、ＷｉＦｉ、ＮＦＣなどのいずれかを含むデータを転送するのに適した任意のワイヤレスプロトコルを含む、請求項１４に記載のシステム。
【請求項１６】
車両診断通信システムのための方法であって、方法は、
少なくとも１つのプロセッサを具備し、車両のＯＢＤ−ＩＩコネクタに接続可能なワイヤレススキャンツールへの接続性を有するアプリケーションサーバシステムを提供することと、
少なくともダッシュボードシステム、運転者パフォーマンスシステム、診断システム、メンテナンス追跡および通知システム、ならびにルーティングシステムによって、ＯＢＤ−ＩＩデータの監視および対話性を提示するようにコンポーネントシステムパッケージを構成することと、
コンポーネントシステムパッケージへのアクセスを提供するようにインターフェースを構成することと
を含む、方法。
【請求項１７】
コンポーネントシステムパッケージを構成することが、デジタル計器、アナログ計器、インディケータライトなどを含む１つ以上の仮想ダッシュボードを表示するようにダッシュボードシステムを構成することを含む、請求項１６に記載の方法。
【請求項１８】
コンポーネントシステムパッケージを構成することが、エンドユーザの運転スキルを改善することを助け、車両の動作中にビデオを記録し、キャプチャされたビデオと車両の動作中に記録されたＯＢＤ−ＩＩデータとを組み合わせるように運転者パフォーマンスシステムを構成することを含む、請求項１６に記載の方法。
【請求項１９】
コンポーネントシステムパッケージを構成することが、車両が適切に点検され、最適に動作していることを保証するために協調して動作するように、診断システム、メンテナンス追跡および通知システム、ならびにルーティングシステムを構成することを含む、請求項１６に記載の方法。
【請求項２０】
コンポーネントシステムパッケージを構成することが、ワイヤレススキャンツールによって取得されたＯＢＤ−ＩＩデータを読み込み、車両を含む何らかの識別された故障しているコンポーネントを示すように診断システムを構成することを含む、請求項１６に記載の方法。
【請求項２１】
コンポーネントシステムパッケージを構成することが、メンテナンス追跡および通知システムによって発行された通知に応答して、新しい部品および供給品をエンドユーザが素早くかつ簡単に取得できるようにルーティングシステムを構成することを含む、請求項１６に記載の方法。
【発明の詳細な説明】
【技術分野】
【０００１】
本出願は、２０１９年６月２７日に出願の米国特許出願第１６／４５５，４２２号、および、２０１８年６月２９日に出願され、出願番号第６２／６９２，５６６号を有する「Ｖｅｈｉｃｌｅ  Ｐｅｒｆｏｒｍａｎｃｅ  Ｗｉｒｅｌｅｓｓ  Ｉｎｔｅｒｆａｃｅ」という名称の米国仮出願の利益および優先権を主張し、前記出願の全体は、引用により本明細書に組み込まれる。
【０００２】
本開示の実施形態は、一般に、車両診断の分野に関する。より詳細には、本開示の実施形態は、ＯＢＤ−ＩＩデータの監視および対話性を提示するように構成された車両診断通信システムのためのシステムおよび方法に関する。
【背景技術】
【０００３】
環境保護庁（ＥＰＡ：Ｅｎｖｉｒｏｎｍｅｎｔａｌ  Ｐｒｏｔｅｃｔｉｏｎ  Ａｇｅｎｃｙ）は、１９９６年式以降の自動車および軽量トラックに、排出（ｅｍｉｓｓｉｏｎ）制御のためのオンボード診断機能（ＯＢＤ：ｏｎ−ｂｏａｒｄ  ｄｉａｇｎｏｓｔｉｃｓ）を取り付けることを車両製造業者に要求してきた。コンピュータ、マイクロコントローラ、およびセンサなどのオンボード診断システムは、車両の排出制御システムを監視して、ＥＰＡによって義務付けられた閾値を排出が超過する原因となる何らかの故障または悪化を検出する。ＯＢＤシステムは、典型的には、例えば、車両の排気（ｅｘｈａｕｓｔ）マニホルド内に置かれる酸素センサを含む。
【０００４】
ＥＰＡは、ＯＢＤシステムによって監視または計算された全ての情報が、組立ライン診断リンク（ＡＬＤＬ：Ａｓｓｅｍｂｌｙ  Ｌｉｎｅ  Ｄｉａｇｎｏｓｔｉｃ  Ｌｉｎｋ）またはＯＢＤコネクタと呼ばれる標準化された直列１６キャビティコネクタ（ｓｅｒｉａｌ  １６−ｃａｖｉｔｙ  ｃｏｎｎｅｃｔｏｒ）を通じて利用可能にされることを要求する。１９９６年以降に作られた車両については、１６キャビティコネクタは、ＯＢＤ−ＩＩコネクタと呼ばれる。さらに、排出閾値を超過したとき、ＯＢＤシステムによって特徴付けられた診断情報は、診断中および修理中に使用するために、車両の中央コンピュータに記憶されなければならない。
【０００５】
ＯＢＤシステムの第２世代は、「ＯＢＤ−ＩＩ」システムと呼ばれ、例えば、排出パフォーマンス、車両速度、走行距離、エンジン温度、吸気マニホルド圧力などを含む、ホスト車両のパフォーマンスを示す広範囲のデータを監視する。いくつかの事例では、ＯＢＤ−ＩＩシステムは、車両のエンジン、変速機、ブレーキ、アラーム、エンターテイメントシステムなどに関するデータなど、製造業者固有のデータも記憶する。典型的には、ＯＢＤ−ＩＩシステムは、車両に関する機械的および電気的問題を示すことができる診断トラブルコード（ＤＴＣ）と呼ばれるコードを監視する。
【０００６】
その上、現代の車両は、典型的には、例えば、フュエルインジェクタパルス、スパークプラグタイミング、アンチロックブレーキシステム、等などの、内部の電気機械アクチュエータを制御するように構成された電子制御ユニット（ＥＣＵ：ｅｌｅｃｔｒｏｎｉｃ  ｃｏｎｔｒｏｌ  ｕｎｉｔ）を有する。ほとんどのＥＣＵは、車両内の共有標準化電子バス上でステータスおよび診断情報を伝送する。バスは、データを送受信する多くのプロセッサを伴うオンボードコンピュータネットワークとして働く。このオンボードコンピュータネットワークにおける最も重要なコンピュータは、電子制御モジュール（ＥＣＭ：ｅｌｅｃｔｒｏｎｉｃ−ｃｏｎｔｒｏｌ  ｍｏｄｕｌｅ）および動力制御モジュール（ＰＣＭ：ｐｏｗｅｒ−ｃｏｎｔｒｏｌ  ｍｏｄｕｌｅ）である。ＥＣＭは、典型的には、クルーズコントロールモジュール、スパークコントローラ、排気／ガス再循環システム等などの、エンジン機能を監視し制御するコンピュータおよびマイクロコントローラにアクセスする。ＰＣＭは、例えば、エンジン、変速機、およびブレーキシステムなどの、パワートレインと関連付けられたＥＣＵを制御し監視することが多い。
【０００７】
車両点検中、標準バスからのデータは、運転者側の車両のダッシュボードの下に典型的に置かれる、上述のＯＢＤ−ＩＩコネクタに接続する「スキャンツール」と一般に呼ばれる外部エンジン診断機器によってアクセスされることが可能である。コネクタを通じてスキャンツールに転送されたデータは、一般に、車両のステータス、および車両の特定のコンポーネントが故障になったか否かを識別する。現代の多くのスキャンツールは、ワイヤレス通信ができ、したがって、デスクトップ、タブレット、サーバ、モバイル電話、パーソナルデジタルアシスタント（ＰＤＡ）、パーソナルコミュニケータ、ネットワークルータまたはハブ、ワイヤレスアクセスポイント（ＡＰ）またはリピータ等などの外部コンピュータにデータをアップロードすることができる。諒解されるように、スキャンツールを使用すると、車両点検をより効率的かつ費用効果の高いものにする。
【発明の概要】
【課題を解決するための手段】
【０００８】
車両診断通信システムのための装置および方法が提供される。車両診断通信システムは、少なくとも１つのプロセッサを含み、車両のＯＢＤ−ＩＩコネクタに接続可能なワイヤレススキャンツールへの接続性を有するアプリケーションサーバシステムを備える。コンポーネントシステムパッケージは、少なくともダッシュボードシステム、運転者パフォーマンスシステム、診断システム、メンテナンス追跡および通知システム、ならびにルーティングシステムによって、ＯＢＤ−ＩＩデータの監視および対話性を提示するように構成される。いくつかの実施形態では、コンポーネントシステムパッケージは、モバイルデバイス上で動作し、Ｂｌｕｅｔｏｏｔｈ、ＷｉＦｉ、ＮＦＣなどのいずれかを含むワイヤレス接続によってワイヤレススキャンツールと通信するように構成されたソフトウェアアプリケーションを備える。ダッシュボードシステムは、デジタル計器、アナログ計器、インディケータライトなどを含む１つ以上の仮想ダッシュボードを表示するように構成される。運転者パフォーマンスシステムは、エンドユーザの運転スキルを改善することを助けるために、キャプチャされたビデオと車両の動作中に記録されたＯＢＤ−ＩＩデータとを組み合わせるように構成される。診断システム、メンテナンス追跡および通知システム、ならびにルーティングシステムは、車両が適切に点検され、最適に動作していることを保証するために協調して動作するように構成される。メンテナンス追跡および通知システムは、コンポーネントの故障が診断システムによって検出されたときに、通知を表示するように構成される。ルーティングシステムは、メンテナンス追跡および通知システムによって発行された通知に応答して、新しい部品および供給品をエンドユーザが取得できるように構成される。
【０００９】
例示的実施形態では、車両診断通信システムは：少なくとも１つのプロセッサを具備し、車両のＯＢＤ−ＩＩコネクタに接続可能なワイヤレススキャンツールへの接続性を有するアプリケーションサーバシステムと；少なくともダッシュボードシステム、運転者パフォーマンスシステム、診断システム、メンテナンス追跡および通知システム、ならびにルーティングシステムによって、ＯＢＤ−ＩＩデータの監視および対話性を提示するように構成されたコンポーネントシステムパッケージと；コンポーネントシステムパッケージへのアクセスを提供するように構成されたインターフェースとを備える。
【００１０】
別の例示的な実施形態では、ダッシュボードシステムは、デジタル計器、アナログ計器、インディケータライトなどを含む１つ以上の仮想ダッシュボードを表示するように構成される。別の例示的な実施形態では、運転者パフォーマンスシステムは、エンドユーザの運転スキルを改善することを助けるように構成される。別の例示的な実施形態では、運転者パフォーマンスシステムは、車両の動作中にビデオを記録するように構成される。別の例示的な実施形態では、運転者パフォーマンスシステムは、キャプチャされたビデオと車両の動作中に記録されたＯＢＤ−ＩＩデータとを組み合わせるように構成される。
【００１１】
別の例示的な実施形態では、診断システム、メンテナンス追跡および通知システム、ならびにルーティングシステムは、車両が適切に点検され、最適に動作していることを保証するために協調して動作するように構成される。別の例示的な実施形態では、診断システムは、ワイヤレススキャンツールによって取得されたＯＢＤ−ＩＩデータを読み込み、車両を含む何らかの識別された故障しているコンポーネントを示すように構成される。別の例示的な実施形態では、メンテナンス追跡および通知システムは、車両と関連付けられた予定のメンテナンス間隔でスキャンツールから受信したＯＢＤ−ＩＩデータを相互参照するように構成される。別の例示的な実施形態では、メンテナンス追跡および通知システムは、車両が点検の期限を過ぎているか、またはメンテナンスが必要であることをＯＢＤ−ＩＩデータが示したときに、通知を表示するように構成される。別の例示的な実施形態では、メンテナンス追跡および通知システムは、コンポーネントの故障が診断システムによって検出されたときに、通知を表示するように構成される。
【００１２】
別の例示的な実施形態では、ルーティングシステムは、メンテナンス追跡および通知システムによって発行された通知に応答して、新しい部品および供給品をエンドユーザが素早くかつ簡単に取得できるように構成される。別の例示的な実施形態では、メンテナンス追跡および通知システムは、検出された車両の故障に関する、今買う（Ｂｕｙ  Ｎｏｗ）ボタンを表示するように構成される。別の例示的な実施形態では、ルーティングシステムは、今買うボタンをエンドユーザが選択したときに、１つ以上の部品供給者に関連したウェブサイトにエンドユーザを向けるように構成され、１つ以上の部品供給者は、検出された故障に関する新しい部品および供給品を提供する。
【００１３】
別の例示的な実施形態では、コンポーネントシステムパッケージは、モバイルデバイス上で動作し、ワイヤレス接続によってワイヤレススキャンツールと通信するように構成されたソフトウェアアプリケーションを備える。別の例示的な実施形態では、ワイヤレス接続は、Ｂｌｕｅｔｏｏｔｈ、ＷｉＦｉ、ＮＦＣなどのいずれかを含むデータを転送するのに適した任意のワイヤレスプロトコルを含む。
【００１４】
例示的実施形態では、車両診断通信システムのための方法は：少なくとも１つのプロセッサを具備し、車両のＯＢＤ−ＩＩコネクタに接続可能なワイヤレススキャンツールへの接続性を有するアプリケーションサーバシステムを提供することと；少なくともダッシュボードシステム、運転者パフォーマンスシステム、診断システム、メンテナンス追跡および通知システム、ならびにルーティングシステムによって、ＯＢＤ−ＩＩデータの監視および対話性を提示するようにコンポーネントシステムパッケージを構成することと；コンポーネントシステムパッケージへのアクセスを提供するようにインターフェースを構成することと、を含む。
【００１５】
別の例示的な実施形態では、コンポーネントシステムパッケージを構成することは、デジタル計器、アナログ計器、インディケータライトなどを含む１つ以上の仮想ダッシュボードを表示するようにダッシュボードシステムを構成することを含む。別の例示的な実施形態では、コンポーネントシステムパッケージを構成することは、エンドユーザの運転スキルを改善することを助け、車両の動作中にビデオを記録し、キャプチャされたビデオと車両の動作中に記録されたＯＢＤ−ＩＩデータとを組み合わせるように運転者パフォーマンスシステムを構成することを含む。別の例示的な実施形態では、コンポーネントシステムパッケージを構成することは、車両が適切に点検され、最適に動作していることを保証するために協調して動作するように、診断システム、メンテナンス追跡および通知システム、ならびにルーティングシステムを構成することを含む。別の例示的な実施形態では、コンポーネントシステムパッケージを構成することは、ワイヤレススキャンツールによって取得されたＯＢＤ−ＩＩデータを読み込み、車両を含む何らかの識別された故障しているコンポーネントを示すように診断システムを構成することを含む。別の例示的な実施形態では、コンポーネントシステムパッケージを構成することは、メンテナンス追跡および通知システムによって発行された通知に応答して、新しい部品および供給品をエンドユーザが素早くかつ簡単に取得できるようにルーティングシステムを構成することを含む。
【００１６】
図面は、本開示の実施形態を参照する。
【図面の簡単な説明】
【００１７】
【図１】本開示による車両診断通信システムの例示的な実施形態の概略図である。
【図２】車両のＯＢＤ−ＩＩコネクタに接続されたワイヤレススキャンツールとモバイルデバイスとの間でワイヤレス接続が確立される例示的な使用環境を示す図である。
【図３Ａ】車両のＯＢＤ−ＩＩコネクタにワイヤレススキャンツールが接続されている間に、図２のモバイルデバイスの、表示され得るタッチスクリーンの例示的な実施形態を示す図である。
【図３Ｂ】車両のＯＢＤ−ＩＩコネクタにワイヤレススキャンツールが接続されている間に、図２のモバイルデバイスの、表示され得るダッシュボードの例示的な実施形態を示す図である。
【図４】車両のＯＢＤ−ＩＩコネクタにワイヤレススキャンツールが接続されている間に、図２のモバイルデバイス上に表示され得る運転者パフォーマンススクリーンの例示的な実施形態を示す図である。
【図５】本開示による車両診断通信システムの実施形態とともに使用され得る例示的なデータ処理システムを示すブロック図である。
【発明を実施するための形態】
【００１８】
本開示は、様々な修正および代替形態を前提とするが、その特定の実施形態は、図面に例として示されており、本明細書で詳細に説明される。本発明は、開示された特定の形態に限定されないものと理解されるべきであり、それどころか、本開示の精神および範囲に含まれる全ての修正形態、均等物、および代替形態を含むことが意図される。
【００１９】
以下の説明では、本開示を完全に理解するために、非常に多くの具体的詳細が示される。それでも、本明細書で開示された本発明は、これらの具体的詳細がなくても実践され得ることが当業者には明らかであろう。他の例では、「第１の車両」などの特定の数字の参照が行われることがある。それでも、特定の数字の参照は、文字通りの連続した順序として解釈されるのではなく、むしろ、「第１の車両」が「第２の車両」とは異なると解釈されるべきである。したがって、示された具体的詳細は、例示的なものに過ぎない。具体的詳細は、本開示の精神および範囲とは異なり、本開示の精神および範囲内にあるものと依然として想定され得る。用語「結合される（ｃｏｕｐｌｅｄ）」は、コンポーネントに直接的に、または別のコンポーネントを通じてコンポーネントに間接的に接続されることを意味するものとして定義される。さらに、本明細書で使用されるように、任意の数値または範囲に関する用語「約（ａｂｏｕｔ）」、「およそ（ａｐｐｒｏｘｉｍａｔｅｌｙ）」、または「かなり（ｓｕｂｓｔａｎｔｉａｌｌｙ）」は、本明細書で説明されるような意図された目的のために、コンポーネントの一部または集合体が機能することを可能にする適切な大きさの許容範囲を示す。
【００２０】
一般に、環境保護庁（ＥＰＡ）は、自動車および軽量トラックに、排出制御のためのオンボード診断機能（ＯＢＤ）を取り付けることを車両製造業者に要求する。コンピュータ、マイクロコントローラ、およびセンサなどのオンボード診断システムは、車両の排出制御システムを監視して、ＥＰＡによって義務付けられた閾値を排出が超過する原因となる何らかの故障または悪化を検出する。ＯＢＤシステムによって監視または計算された全ての情報は、組立ライン診断リンク（ＡＬＤＬ）と呼ばれる標準化された直列１６キャビティコネクタ、または、１９９６年以降に作られた車両のためのＯＢＤ−ＩＩコネクタと呼ばれるＯＢＤコネクタを通じて利用可能になる。排出閾値が超過されたとき、ＯＢＤシステムによって特徴付けられた診断情報は、診断中および修理中に使用するために、車両の中央コンピュータに記憶されなければならない。車両点検中、データは、ＯＢＤ−ＩＩコネクタに接続する「スキャンツール」と一般に呼ばれる外部エンジン診断機器によってアクセスされることが可能である。コネクタを通じてスキャンツールに転送されたデータは、一般に、車両のステータス、および車両の特定のコンポーネントが故障になったか否かを識別する。現代の多くのスキャンツールは、ワイヤレス通信ができ、したがって、デスクトップ、タブレット、サーバ、モバイル電話、パーソナルデジタルアシスタント（ＰＤＡ）、パーソナルコミュニケータ、ネットワークルータまたはハブ、ワイヤレスアクセスポイント（ＡＰ）またはリピータ等などの外部コンピュータにデータをアップロードすることができる。本明細書で開示された実施形態は、ＯＢＤ−ＩＩデータの監視および対話性を提示するように構成された車両診断通信システムのためのシステムおよび方法を含む。
【００２１】
図１は、本開示による車両診断通信システム１００の例示的な実施形態の概略図である。通信システム１００は、少なくとも１つのプロセッサを具備し、車両１１４のＯＢＤ−ＩＩコネクタに接続されたワイヤレススキャンツール１１０への接続性を有するアプリケーションサーバシステム１０８の、非一時的な機械可読媒体（すなわち、メモリ）に記憶された車両パフォーマンスシステム１０４を備える。一般に、ワイヤレススキャンツール１１０は、非限定的な例として、エンジンＲＰＭ、車両速度、冷却液温度、空気フロー、マニホルド圧力、気圧、周囲の気温、給気圧、広帯域ＡＦＲ、スロットル位置、点火進角（ｓｐａｒｋ  ａｄｖａｎｃｅ）、馬力およびトルク計算、燃費（ＭＰＧ、Ｌ／１００ｋｍ、Ｌ／ｋｍ、等）、ならびに利用可能な他の任意の包括的なＯＢＤ−ＩＩ  ＰＩＤなどの、車両１１４に関するパフォーマンスデータおよびステータスデータを車両パフォーマンスシステム１０４に提供する。
【００２２】
その上、いくつかの実施形態では、ワイヤレススキャンツール１１０によって提供される車両パフォーマンスデータおよびステータスデータは、エンジンのノッキングの程度、トランスミッション液温度およびライン圧力、スリップアクロストルクコンバータ、トルクコンバータロックアップ状態、現在のトランスミッションギア、リアディファレンシャル温度、チャージ圧力および／またはスロットル入口圧力、２次吸気圧（ｓｅｃｏｎｄａｒｙ  ｉｎｔａｋｅ  ａｉｒ  ｐｒｅｓｓｕｒｅ）（ポストターボ／スーパーチャージャー）、ウェイストゲートデューティサイクルパーセンテージ、シリンダミスファイアデータ、シリンダヘッド温度、エンジンオイル圧力、エンジンオイル温度、クラッチペダル位置、ならびに、車両上の任意の他のセンサから受信したデータ、ならびに、アクセス可能であり得る他の任意の製造業者独自の／拡張されたＰＩＤをさらに含む。
【００２３】
いくつかの実施形態では、車両パフォーマンスシステム１０４は、コンポーネントシステムパッケージ１１６へのアクセスを提供するインターフェース１１２を備える。ホストサイト１２０は、インターネットなどの通信ネットワークによるアプリケーションサーバシステム１０８へのアクセスを、多くのエンドユーザ１２４に提供する。エンドユーザ１２４は、車両ステータスおよびパフォーマンスデータへアクセスし対話することを望む、例として、自動車整備士、技術者、車両所有者、等などの車両点検作業員を含む。いくつかの実施形態では、ホストサイト１２０は、エンドユーザ１２４がコンポーネントシステムパッケージ１１６と対話するウェブベースのアプリケーションを備える。いくつかの実施形態では、ホストサイト１２０は、点検作業員および車両所有者が、コンポーネントシステムパッケージ１１６と直接的に対話できるようにするカスタマイズされたウェブベースのモバイルデバイスアプリケーションを備えることができる。いくつかの実施形態では、ホストサイト１２０および車両パフォーマンスシステム１０４は、モバイルデバイス上で動作し、ワイヤレス接続によってワイヤレススキャンツール１１０と通信するように構成されたソフトウェアアプリケーションを備えることができる。このような実施形態では、エンドユーザ１２４は、ワイヤレススキャンツール１１０を車両１１４のＯＢＤ−ＩＩコネクタに接続し、ワイヤレス接続は、ワイヤレススキャンツール１１０と、図２に示されるようなセルフォン１１８などのモバイルデバイスとの間で確立される。スキャンツール１１０とセルフォン１１８との間のワイヤレス接続は、Ｂｌｕｅｔｏｏｔｈ、ＷｉＦｉ、ＮＦＣなどのいずれかを含むデータを転送するのに適した任意のワイヤレスプロトコルを限定することなく含むことができることが図られる。
【００２４】
好ましくは、エンドユーザ１２４のそれぞれは、アプリケーションサーバシステム１０８のメモリに記憶されたアプリケーションを利用して、所望の製品を受け取るように、様々な部品供給者１４４のうちの１つ以上に要求信号または「電子注文」を送ることができる。部品供給者１４４は、例として、自動車およびトラックの部品供給者、製造業者、販売業者、小売店場、等などの団体を含む。１つの実施形態では、コンポーネントシステムパッケージ１１６は、アプリケーションサーバシステム１０８のメモリに記憶され、インターフェース１１２は、車両パフォーマンスシステム１０４の一部を含むソフトウェアアプリケーションであり、これによって、コンポーネントシステムパッケージ１１６へのアクセスを提供する。いくつかの実施形態では、コンポーネントシステムパッケージ１１６は、１つ以上の第三者のサービス提供者によって運用されるサービスであってもよい。このような実施形態では、インターフェース１１２は、インターネット接続などの通信ネットワーク上の接続を備えることができ、これにより、アプリケーションサーバシステム１０８は、１つ以上の第三者のサービス提供者にリクエストを送り、サービスを受けることができる。
【００２５】
諒解されるように、コンポーネントシステムパッケージ１１６は、一般に、コンポーネントシステムを備え、これにより、各エンドユーザ１２４は、ワイヤレススキャンツール１１０によって提供された車両パフォーマンスデータおよびステータスデータと対話することができる。図３Ａは、コンポーネントシステムパッケージ１１６にアクセスし得るセルフォン１１８によってエンドユーザ１２４に提示され得るタッチスクリーン１６０の例示的な実施形態を示す。例えば、タッチスクリーン１６０は、パッケージ１１６を含むコンポーネントシステムをエンドユーザ１２４が選択し、操作することができるいくつかのボタン１６４を含むことができる。図１の示された実施形態では、コンポーネントシステムパッケージ１１６は、ダッシュボードシステム１２８、運転者パフォーマンスシステム１３２、診断システム１３４、メンテナンス追跡および通知システム１３６、およびルーティングシステム１４０を含む。いくつかの実施形態では、それでも、コンポーネントシステムパッケージ１１６は、限定することなく、また本開示の精神および範囲を越えて逸脱することなく、図１に示されたコンポーネントシステムのほかに、他のシステムを備えることができる。コンポーネントシステムパッケージ１１６を備えるシステムのそれぞれが、下記で説明される。
【００２６】
ダッシュボードシステム１２８は、一般に、ＯＢＤ−ＩＩデータの監視とロギングを車内コンピューティング体験に統合するように構成される。例えば、セルフォン１１８によってエンドユーザ１２４に表示され得るダッシュボード１６８の例示的な実施形態が図３Ｂに示される。ダッシュボードシステム１２８は、非限定的な例として、デジタル計器、アナログ計器、インディケータライトなどを含む多種多様な魅力的な仮想ダッシュボードを表示するように構成されることが図られる。
【００２７】
運転者パフォーマンスシステム１３２は、エンドユーザ１２４の運転スキルを改善することを助けるように構成される。運転者パフォーマンスシステム１３２は、ロードレース、クロスカントリ、ラリー、オフロード、ドラッグレース等などの、エンドユーザ１２４の競争運転スキルを改善することに特に適していることが図られる。いくつかの実施形態では、運転者パフォーマンスシステム１３２は、例えば、セルフォン１１８によって、エンドユーザ１２４がレース中にビデオを記録できるようにする。運転者パフォーマンスシステム１３２は、次に、改善されたレースパフォーマンスを促進するために、キャプチャされたビデオを、レース中に記録されたＯＢＤ−ＩＩデータと組み合わせて、エンドユーザ１２４が運転者の誤りを識別できるようにする。図４は、セルフォン１１８によって表示され得る運転者パフォーマンススクリーン１７２の例示的な実施形態を示す。運転者パフォーマンススクリーン１７２は、キャプチャされたビデオ１７６、および１つ以上の仕切られたデータオーバレイ１８０を含む。データオーバレイ１８０は、馬力、エンジンＲＰＭ、車両速度、エンジン冷却液温度、ブレーキペダル、スロットル位置、重力加速度（Ｇ  ｆｏｒｃｅｓ）のいずれか、および、運転者パフォーマンスに関するＯＢＤ−ＩＩデータのいずれかを備えることができる。運転者パフォーマンスシステム１３２は、運転中の、ビデオ、オーディオ、および車両データの記録をエンドユーザ１２４が記録、保存、および再生できるように構成されることがさらに図られる。
【００２８】
図１を再び参照すると、いくつかの実施形態では、診断システム１３４、メンテナンス追跡および通知システム１３６、ならびにルーティングシステム１４０は、車両１１４が適切に点検され、最適に動作していることを保証するために協調して動作できることが図られる。診断システム１３４は、ワイヤレススキャンツール１１０によって取得されたＯＢＤ−ＩＩデータを読み込み、車両１１４の何らかの識別された故障しているコンポーネントを示すように構成される。メンテナンス追跡および通知システム１３６は、車両１１４と関連付けられた予定のメンテナンス間隔で、スキャンツール１１０から受信したＯＢＤ−ＩＩデータを相互参照するように構成される。車両１１４が点検の期限を過ぎているか、またはメンテナンスが必要であることをＯＢＤ−ＩＩデータが示す場合、システム１３６は、エンドユーザ１２４への通知を表示することができる。
【００２９】
メンテナンス追跡および通知システム１３６は、診断システム１３４とともに、同様に動作することが図られる。したがって、メンテナンススケジュールを識別することに加えて、メンテナンス追跡および通知システム１３６は、コンポーネントの故障が診断システム１３４によって検出されると、エンドユーザ１２４への通知を表示することができる。例えば、メンテナンス追跡および通知システム１３６は、エアフィルタに関する点検間隔が超えられているか、または、診断システム１３４が詰まったエアフィルタの汚れを示す故障を検出した場合、車両１１４が新しいエアフィルタを必要としていることを示すことができる。
【００３０】
ルーティングシステム１４０は、メンテナンス追跡および通知システム１３６によって発行された通知に応答して、新しい部品および供給品をエンドユーザ１２４が素早くかつ簡単に取得できるように構成される。いくつかの実施形態では、メンテナンス追跡および通知システム１３６は、検出された車両の故障に関する、今買うボタンを表示するように構成される。エンドユーザ１２４が、今買うボタンを選択すると、ルーティングシステム１４０は、部品供給者１４４のうちの１つに関連したウェブサイトにセルフォン１１８を向け、これにより、エンドユーザ１２４は、検出された故障に関する新しい部品および供給品を取得することができる。例えば、汚いエアフィルタについての上記のケースでは、エンドユーザ１２４が、今買うボタンを選択すると、ルーティングシステム１４０は、交換用のエアフィルタおよび／またはエアフィルタクリーニングキットを売る部品供給者１４４のウェブサイトにセルフォン１１８をリダイレクトする。諒解されるように、セルフォン１１８がウェブサイトにリダイレクトされると、エンドユーザ１２４は、必要な部品および／または供給品を要望通りに購入する。
【００３１】
図５は、本明細書で説明される処理または方法のいずれかを実施するために、車両診断通信システム１００とともに使用され得る例示的なデータ処理システム２２０を示すブロック図である。システム２２０は、デスクトップ、タブレット、サーバ、モバイル電話、パーソナルデジタルアシスタント（ＰＤＡ）、パーソナルコミュニケータ、ネットワークルータもしくはハブ、ワイヤレスアクセスポイント（ＡＰ）もしくはリピータ、セットトップボックス、または、これらの組合せを表すことができる。
【００３２】
図５に示された１つの実施形態では、システム２２０は、プロセッサ２２４、および、バスまたは相互接続を介してメモリ２３２およびデバイス２３６−２４８を含む様々なコンポーネントをプロセッサ２２４に結合するための、本明細書でチップセットとも呼ばれる周辺インターフェース２２８を含む。プロセッサ２２４は、単一のプロセッサ、あるいは単一のプロセッサコアまたは多数のプロセッサコアが含まれる多数のプロセッサを表すことができる。プロセッサ２２４は、マイクロプロセッサ、中央処理装置（ＣＰＵ）、または同様のものなどの１つ以上の汎用プロセッサを表すことができる。より具体的には、プロセッサ２２４は、複雑命令セットコンピューティング（ＣＩＳＣ）マイクロプロセッサ、縮小命令セットコンピューティング（ＲＩＳＣ）マイクロプロセッサ、超長命令語（ＶＬＩＷ）マイクロプロセッサ、もしくは他の命令セットを実装するプロセッサ、または命令セットの組合せを実装するプロセッサであってもよい。また、プロセッサ２２４は、特定用途向け集積回路（ＡＳＩＣ）、フィールドプログラマブルゲートアレイ（ＦＰＧＡ）、デジタルシグナルプロセッサ（ＤＳＰ）、ネットワークプロセッサ、グラフィックスプロセッサ、ネットワークプロセッサ、通信プロセッサ、暗号プロセッサ、コプロセッサ、組込みプロセッサ、または、命令を処理することができる他の任意のタイプのロジックなどの１つ以上の専用プロセッサであってもよい。プロセッサ２２４は、本明細書で論じられる動作およびステップを実施するための命令を実行するように構成される。
【００３３】
周辺インターフェース２２８は、メモリコントロールハブ（ＭＣＨ：ｍｅｍｏｒｙ  ｃｏｎｔｒｏｌ  ｈｕｂ）および入出力コントロールハブ（ＩＣＨ：ｉｎｐｕｔ  ｏｕｔｐｕｔ  ｃｏｎｔｒｏｌ  ｈｕｂ）を含むことができる。周辺インターフェース２２８は、メモリ２３２と通信するメモリコントローラ（図示せず）を含むことができる。周辺インターフェース２２８は、ディスプレイコントローラおよび／またはディスプレイデバイスを含み得るグラフィックスサブシステム２３４と通信するグラフィックスインターフェースも含むことができる。周辺インターフェース２２８は、アクセラレイティッドグラフィックスポート（ＡＧＰ）、ペリフェラルコンポーネントインターコネクト（ＰＣＩ）エクスプレスバス、または他の任意のタイプの相互接続によってグラフィックスデバイス２３４と通信することができる。
【００３４】
ＭＣＨは、ノースブリッジと呼ばれることもあり、ＩＣＨは、サウスブリッジと呼ばれることもある。本明細書で使用されるように、用語ＭＣＨ、ＩＣＨ、ノースブリッジ、およびサウスブリッジは、割込み信号をプロセッサに伝えることを含む機能を実施する様々なチップを包含すると幅広く解釈されることが意図されるものである。いくつかの実施形態では、ＭＣＨは、プロセッサ２２４と統合されてもよい。このような構成では、周辺インターフェース２２８は、ＭＣＨおよびＩＣＨのいくつかの機能を実施するインターフェースチップとして動作する。さらに、グラフィックスアクセラレータは、ＭＣＨまたはプロセッサ２２４内に統合されてもよい。
【００３５】
メモリ２３２は、ランダムアクセスメモリ（ＲＡＭ）、ダイナミックＲＡＭ（ＤＲＡＭ）、シンクロナスＤＲＡＭ（ＳＤＲＡＭ）、スタティックＲＡＭ（ＳＲＡＭ）、または他のタイプのストレージデバイスなどの、１つ以上の揮発性ストレージ（すなわちメモリ）デバイスを含むことができる。メモリ２３２は、プロセッサ２２４、または他の任意のデバイスによって実行される一連の命令を含む情報を記憶することができる。例えば、様々なオペレーティングシステム、デバイスドライバ、ファームウェア（例えば、入出力基本システムすなわちＢＩＯＳ）、ならびに／またはアプリケーションの実行可能コードおよび／もしくはデータは、メモリ２３２にロードされ、プロセッサ２２４によって実行されることが可能である。オペレーティングシステムは、例えば、Ｍｉｃｒｏｓｏｆｔ（Ｒ）からのＷｉｎｄｏｗｓ（Ｒ）オペレーティングシステム、ＡｐｐｌｅからのＭａｃ  ＯＳ（Ｒ）／ｉＯＳ（Ｒ）、Ｇｏｏｇｌｅ（Ｒ）からのＡｎｄｒｏｉｄ（Ｒ）、Ｌｉｎｕｘ（Ｒ）、Ｕｎｉｘ（Ｒ）、または、ＶｘＷｏｒｋｓなどの他のリアルタイムもしくは組込み型オペレーティングシステムなどの任意の種類のオペレーティングシステムであることが可能である。
【００３６】
周辺インターフェース２２８は、ワイヤレストランシーバ２３６、入力デバイス２４０、オーディオＩＯデバイス２４４、および他のＩＯデバイス２４８を含むデバイス２３６−２４８などの、ＩＯデバイスへのインターフェースを提供することができる。ワイヤレストランシーバ２３６は、ＷｉＦｉトランシーバ、赤外線トランシーバ、Ｂｌｕｅｔｏｏｔｈトランシーバ、ＷｉＭａｘトランシーバ、ワイヤレスセルラー電話通信トランシーバ、衛星トランシーバ（例えば、全地球測位システム（ＧＰＳ）トランシーバ）、または、これらの組合せであってもよい。入力デバイス２４０は、マウス、タッチパッド、タッチセンシティブスクリーン（これは、ディスプレイデバイス２３４と統合されてもよい）、スタイラスなどのポインタデバイス、および／または、キーボード（例えば、物理キーボード、もしくは、タッチセンシティブスクリーンの一部として表示される仮想キーボード）を含むことができる。例えば、入力デバイス２４０は、タッチスクリーンと結合されたタッチスクリーンコントローラを含むことができる。タッチスクリーンおよびタッチスクリーンコントローラは、例えば、容量性、抵抗性、赤外線、および表面音響波技術、ならびに、タッチスクリーンとの１つ以上の接触点を決定するための他の近接センサアレイまたは他の要素を含むがこれらに限定されない複数のタッチセンシティビティ技術のいずれかを使用して、接触および移動、またはそれらの中断を検出することができる。
【００３７】
オーディオＩＯ２４４は、音声認識、音声複製、デジタル録音、および／または電話通信機能などの音声対応機能を容易にするための、スピーカおよび／またはマイクロフォンを含むことができる。他の任意選択のデバイス２４８は、ストレージデバイス（例えば、ハードドライブ、フラッシュメモリデバイス）、ユニバーサルシリアルバス（ＵＳＢ）ポート、パラレルポート、シリアルポート、プリンタ、ネットワークインターフェース、バスブリッジ（例えば、ＰＣＩ−ＰＣＩブリッジ）、センサ（例えば、運動センサ、光センサ、近接センサ、等）、またはこれらの組合せを含むことができる。任意選択のデバイス２４８は、写真およびビデオクリップを記録することなどのカメラ機能を容易にするために利用される電荷結合素子（ＣＣＤ）または相補型金属酸化膜半導体（ＣＭＯＳ）光センサなどの光センサを含み得る画像化処理サブシステム（例えば、カメラ）をさらに含んでもよい。
【００３８】
図５はデータ処理システムの様々なコンポーネントを示すが、コンポーネントを相互接続する任意の特定のアーキテクチャまたは手法を表すことが意図されるものではなく；したがって、詳細は、本開示の実施形態と密接な関係があるわけではないことに留意されたい。ネットワークコンピュータ、ハンドヘルドコンピュータ、モバイル電話、および、より少ないコンポーネントまたはおそらくより多くのコンポーネントを有する他のデータ処理システムが、上記で開示された本発明の実施形態とともにさらに使用されてもよいことも諒解されたい。
【００３９】
コンピュータメモリ内のデータビットに対する動作のアルゴリズムおよび記号表現の観点から、先行する詳細な説明のいくつかの部分が提示されてきた。これらのアルゴリズム的説明および表現は、これらの作業の実体を他の当業者に最も効果的に伝えるために、データ処理技術における当業者によって使用される方法である。アルゴリズムは、ここでは、また一般的に、所望の結果につながる首尾一貫した一連の動作であると想像される。動作は、物理量の物理的操作を必要とするものである。
【００４０】
それでも、これらおよび類似の用語の全てが、適切な物理量と関連付けられることになり、これらの量に適用される便利なラベルに過ぎないことに留意されたい。上記の議論から明らかなように、別途特に述べられない限り、説明の全体にわたって、下記の特許請求の範囲に示されたものなどの用語を利用する議論は、コンピュータシステムのレジスタおよびメモリ内の物理（電子）量として表されたデータを操作および変換して、コンピュータシステムのメモリもしくはレジスタ、または他のこのような情報ストレージ、伝送もしくはディスプレイデバイス内の物理量として同様に表された他のデータにする、コンピュータシステム、または類似の電子計算デバイスのアクションおよび処理を指すことを諒解されたい。
【００４１】
図に示された技法は、１つ以上の電子デバイス上で記憶され、実行されるコードおよびデータを使用して実現されることが可能である。このような電子デバイスは、非一時的コンピュータ可読ストレージ媒体（例えば、磁気ディスク；光ディスク；ランダムアクセスメモリ；リードオンリメモリ；フラッシュメモリデバイス；相変化メモリ）、および一時的コンピュータ可読伝送媒体（例えば、電気、光、音響、または他の形態の伝搬信号  −  搬送波、赤外線信号、デジタル信号など）などのコンピュータ可読媒体を使用してコードおよびデータを記憶し、（内部で、および／またはネットワークで他の電子デバイスと）通信する。
【００４２】
先行する図に描写された処理または方法は、ハードウェア（例えば、回路機器、専用ロジック、等）、ファームウェア、（例えば、非一時的コンピュータ可読媒体に含まれる）ソフトウェア、または両方の組合せを備える処理ロジックによって実施されてもよい。処理または方法が、いくつかの順次的な動作の観点から上記で説明されるが、説明された動作のうちのいくつかは、異なる順序で実施されてもよいことを理解されたい。その上、いくつかの動作は、順次ではなく並行に実施されてもよい。
【００４３】
本発明は、特定の変形形態および例証的な図の観点から説明されてきたが、本発明が、説明された変形形態または図に限定されないことを当業者は認識するであろう。さらに、特定のイベントが特定の順序で発生することを、上記で説明された方法およびステップが示す場合、特定のステップの順序は修正されてもよいということ、および、このような修正は本発明の変形形態によるということを当業者は認識するであろう。追加として、ステップのいくつかは、可能なとき、平行処理で同時に行われてもよく、上記で説明されたように順次実施されてもよい。本開示の精神に含まれるか、または、特許請求の範囲で見つかる本発明に均等な、本発明の変形形態の範囲において、本特許がこれらの変形形態も同様に含むことが意図されるものである。したがって、本開示は、本明細書で説明される特定の実施形態によって限定されるのではなく、添付の特許請求の範囲によってのみ限定されるものとして理解されたい。
【図１】
2021529128.tif 000003
【図２】
2021529128.tif 000004
【図３Ａ】
2021529128.tif 000005
【図３Ｂ】
2021529128.tif 000006
【図４】
2021529128.tif 000007
【図５】
2021529128.tif 000008
【国際調査報告】
2021529128.tif 000009